(57)【要約】【課題】ＭＡＣレイヤ機能では、上りリンク信号が送信されたと認識しているが、物理レイヤ機能では、実際に、上りリンク信号を送信していないという両者の状態不一致が発生するという事態を回避する。【解決手段】本発明に係る移動局ＵＥでは、レイヤ１機能は、無線基地局ｅＮＢに対して、上りリンク信号を送信するように構成されている送信部１３を具備しており、レイヤ２機能は、送信部１３に対して、上りリンク信号の送信を指示するように構成されている送信管理部１２と、カウンタを制御するように構成されているカウンタ制御部１１とを具備しており、カウンタ制御部１１は、送信管理部１２から送信部１３に対する上りリンク信号の送信指示が行われた後、送信部１３による上りリンク信号の送信が行われなかった場合に、上述のカウンタのインクリメントを中止するように構成されている。【選択図】図３
2014033412.tif 000002
【特許請求の範囲】
【請求項１】
レイヤ１機能及びレイヤ２機能を具備する移動局であって、
前記レイヤ１機能は、
無線基地局に対して、上りリンク信号を送信するように構成されている送信部を具備しており、
前記レイヤ２機能は、
前記送信部に対して、前記上りリンク信号の送信を指示するように構成されている送信管理部と、
カウンタを制御するように構成されているカウンタ制御部とを具備しており、
前記カウンタ制御部は、前記送信管理部から前記送信部に対する前記指示が行われた後、前記送信部による前記上りリンク信号の送信が行われなかった場合に、前記カウンタのインクリメントを中止するように構成されていることを特徴とする移動局。
【請求項２】
前記カウンタ制御部は、前記送信部による前記上りリンク信号の送信状況を監視するように構成されていることを特徴とする請求項１に記載の移動局。
【請求項３】
前記送信部は、前記上りリンク信号の送信が行われた場合に、その旨を前記カウンタ制御部に対して通知するように構成されており、
前記カウンタ制御部は、前記通知に応じて、前記カウンタをインクリメントするように構成されていることを特徴とする請求項１に記載の移動局。
【発明の詳細な説明】
【技術分野】
【０００１】
本発明は、移動局に関する。
【背景技術】
【０００２】
現在、ＬＴＥ（Ｌｏｎｇ  Ｔｅｒｍ  Ｅｖｏｌｕｔｉｏｎ）方式では、上りリンクにおいて用いられるチャネルとして、ＰＵＳＣＨ（Ｐｈｙｓｉｃａｌ  Ｕｐｌｉｎｋ  Ｓｈａｒｅｄ  Ｃｈａｎｎｅｌ、物理上りリンク共有チャネル）やＰＵＣＣＨ（Ｐｈｙｓｉｃａｌ  Ｕｐｌｉｎｋ  Ｃｏｎｔｒｏｌ  Ｃｈａｎｎｅｌ、物理上りリンク制御チャネル）やＰＲＡＣＨ（Ｐｈｙｓｉｃａｌ  Ｒａｎｄｏｍ  Ａｃｃｅｓｓ  Ｃｈａｎｎｅｌ、物理ランダムアクセスチャネル）が規定されており、上りリンクにおいて送信される信号として、ＳＲＳ（Ｓｏｕｎｄｉｎｇ  ｒｅｆｅｒｅｎｃｅ  Ｓｉｇｎａｌ）が規定されている。
【０００３】
ここで、ＰＵＳＣＨは、移動局ＵＥからのＵ-ｐｌａｎｅデータやＣ-ｐｌａｎｅデータやＭＡＣ（Ｍｅｄｉａ  Ａｃｃｅｓｓ  Ｃｏｎｔｒｏｌ）レイヤの制御データを送信するための共有チャネルである。
【０００４】
また、ＰＵＣＣＨは、移動局ＵＥからの制御情報を送信するための物理制御チャネルである。ここで、制御情報としては、ＰＵＣＣＨ-ＣＱＩ（Ｃｈａｎｎｅｌ  Ｑｕａｌｉｔｙ  Ｉｎｄｉｃａｔｏｒ）やＰＵＣＣＨ-ＳＲ（Ｓｃｈｅｄｕｌｉｎｇ  Ｒｅｑｕｅｓｔ）や下りリンク信号に対するＡＣＫ/ＮＡＣＫ等が含まれる。
【０００５】
また、ＰＲＡＣＨは、移動局ＵＥからのスケジューリング要求信号の送信や、接続処理及び再接続処理における同期確立に用いられる物理チャネルである。
【０００６】
さらに、ＳＲＳは、上りリンクの共有リソースで送信される信号であり、上りリンクにおける品質を報告するために用いられるものである。
【０００７】
ここで、移動局ＵＥのＭＡＣレイヤ機能は、ＰＲＡＣＨやＰＵＳＣＨやＰＵＣＣＨ-ＳＲにおける送信を物理レイヤ機能に指示した回数についてカウントするように構成されている。
【０００８】
例えば、移動局ＵＥのＭＡＣレイヤ機能は、ＰＲＡＣＨにおける送信を物理レイヤ機能に指示した回数をカウントし、かかる回数が最大送信回数に至った場合には、「Ｒａｎｄｏｍ  Ａｃｃｅｓｓ  ｐｒｏｂｌｅｍ」が発生したと見なして、その旨を上位レイヤ機能に通知するように構成されている。
【０００９】
或いは、移動局ＵＥのＭＡＣレイヤ機能は、ＰＵＳＣＨにおける送信を物理レイヤ機能に指示した回数をカウントし、かかる回数が最大送信回数に至った場合には、かかる送信に係るデータ（例えば、ＭＡＣ-ＰＤＵ）を破棄するように構成されている。
【００１０】
或いは、移動局ＵＥのＭＡＣレイヤ機能は、ＰＵＣＣＨ-ＳＲの送信を物理レイヤ機能に指示した回数をカウントし、かかる回数が最大送信回数に至った場合には、上りリンク同期が外れたと見なして、設定された上りリンク用個別リソース（ＰＵＣＣＨやＳＲＳ等）を解放するように構成されている。
【先行技術文献】
【非特許文献】
【００１１】
【非特許文献１】３ＧＰＰ  ＴＳ３６.２１３
【発明の概要】
【発明が解決しようとする課題】
【００１２】
しかしながら、従来のＬＴＥ方式の移動通信システムでは、ＭＡＣレイヤ機能が、上りリンク信号が送信されたと認識しているが、物理レイヤ機能が、実際に、上りリンク信号を送信していないというケースにおいて、ＭＡＣレイヤ機能が、カウンタをインクリメントしてしまう可能性があるという問題があった。
【００１３】
基本的に、上述の回数が最大送信回数に至った場合、ＭＡＣレイヤ機能は、物理レイヤ機能で問題が生じたと見なし、リソース解放や再接続手順の起動を行うが、上述のケースでは、送信の有無に関わらず、カウンタをインクリメントしてしまうため、物理レイヤ機能に問題がないにも関わらず、リソース解放や再接続手順の起動が行われてしまい、システム安定性の観点から望ましくない。
【００１４】
以下、図４乃至図６を参照して、かかるケースの具体例１〜３について説明する。
【００１５】
第１の例として、３ＧＰＰの仕様ＴＳ３６.２１３に規定されている「ＡＣＫ/ＮＡＣＫ  ｒｅｐｅｔｅｉｏｎ」が適用されているケースが想定される。
【００１６】
ここで、「ＡＣＫ/ＮＡＣＫ  ｒｅｐｅｔｅｉｏｎ」は、移動局ＵＥが、受信した下りリンク信号に対して複数回送達確認情報（ＡＣＫ/ＮＡＣＫ）を送信することで、上りリンクの品質が悪い移動局ＵＥにおいても、確実に送達確認情報をフィードバックすることを目的とするものである。
【００１７】
かかる送達確認情報を送信するためのリソースは、無線基地局ｅＮＢから移動局ＵＥに対して指示されるように構成されている。
【００１８】
かかるケースにおいて、図４に示すように、「ＡＣＫ/ＮＡＣＫ  ｒｅｐｅｔｅｉｏｎ」による送達確認情報の送信と、他の上りリンク信号の送信とが重なった場合には、「ＡＣＫ/ＮＡＣＫ  ｒｅｐｅｔｅｉｏｎ」による送達確認情報の送信が優先されるため、移動局ＵＥの物理レイヤ機能が、他の上りリンク信号の送信を行わない。
【００１９】
この結果、かかるケースでは、移動局ＵＥにおいて、ＭＡＣレイヤ機能では、上りリンク信号が送信されたと認識しているが、物理レイヤ機能では、実際に、上りリンク信号を送信していないという両者の状態不一致が発生するという問題点があった。
【００２０】
第２の例として、「ＵＬ  ＣＡ（Ｕｐｌｉｎｋ  Ｃａｒｒｉｅｒ  Ａｇｇｒｅｇａｔｉｏｎ）」における「ｐｏｗｅｒ  ｌｉｍｉｔｅｄ  ｃａｓｅ」が発生するケースが想定される（３ＧＰＰの仕様ＴＳ３６.２１３参照）。
【００２１】
ＬＴＥ-Ａｄｖａｎｄｅｄ方式では、複数のＣＣ（Ｃｏｍｐｏｎｅｎｔ  Ｃａｒｒｉｅｒ）を束ねてより広帯域（高速）通信を行うＣＡが規定されている。
【００２２】
「ＵＬ  ＣＡ」が行われる場合には、移動局ＵＥは、複数のＣＣにて上りリンク信号を送信するが、上りリンクの品質が悪く所要の上りリンクの品質が担保できない場合、すなわち、「ｐｏｗｅｒ  ｌｉｍｉｔｅｄ  ｃａｓｅ」が発生した場合には、所定の優先度に従い、各ＣＣにおける上りリンクにおける送信電力を低減して複数のＣＣにおける送信を行うか、或いは、図５に示すように、物理レイヤ機能において、優先度の低い上りリンク信号の送信を行わない。
【００２３】
この結果、かかるケースでは、移動局ＵＥにおいて、ＭＡＣレイヤ機能では、上りリンク信号が送信されたと認識しているが、物理レイヤ機能では、実際に、上りリンク信号を送信していないという両者の状態不一致が発生するという問題点があった。
【００２４】
第３の例として、同時送信能力を具備していない移動局ＵＥに対して複数の上りリンク信号の送信が同時にトリガされたケースが想定される。
【００２５】
ＬＴＥ-Ａｄｖａｎｄｅｄ方式におけるＣＡでは、複数のＣＣを使って同時に送受信を行うことで、より広帯域（高速）通信を行うが、移動局ＵＥの能力により（或いは、ネットワークの設定により）、上りリンク信号の同時送信ができないケースがある。
【００２６】
例えば、ＣＡにおけるＰＵＣＣＨ及びＰＵＳＣＨにおける同時送信能力についてはオプションの機能であるため、かかる同時送信能力を具備していない移動局ＵＥも存在し得る。
【００２７】
同時送信能力を具備していない移動局ＵＥに対して複数の上りリンク信号の送信がトリガされるのは、基本的には、エラーケースであるため、物理レイヤ機能において、どちらの上りリンク信号を優先するか、或いは、どちらの上りリンク信号も送信しないかについて、各移動局ＵＥの実装に任されている。
【００２８】
この結果、かかるケースでは、移動局ＵＥにおいて、ＭＡＣレイヤ機能では、上りリンク信号が送信されたと認識しているが、物理レイヤ機能では、実際に、上りリンク信号を送信していないという両者の状態不一致が発生するという問題点があった。
【００２９】
そこで、本発明は、上述の課題に鑑みてなされたものであり、ＭＡＣレイヤ機能では、上りリンク信号が送信されたと認識しているが、物理レイヤ機能では、実際に、上りリンク信号を送信していないという両者の状態不一致、それに起因するリソース解放や再接続手順の起動が発生するという事態を回避することができる移動局を提供することを目的とする。
【課題を解決するための手段】
【００３０】
本発明の第１の特徴は、レイヤ１機能及びレイヤ２機能を具備する移動局であって、前記レイヤ１機能は、無線基地局に対して、上りリンク信号を送信するように構成されている送信部を具備しており、前記レイヤ２機能は、前記送信部に対して、前記上りリンク信号の送信を指示するように構成されている送信管理部と、カウンタを制御するように構成されているカウンタ制御部とを具備しており、前記カウンタ制御部は、前記送信管理部から前記送信部に対する前記指示が行われた後、前記送信部による前記上りリンク信号の送信が行われなかった場合に、前記カウンタのインクリメントを中止するように構成されていることを要旨とする。
【発明の効果】
【００３１】
以上説明したように、本発明によれば、ＭＡＣレイヤ機能では、上りリンク信号が送信されたと認識しているが、物理レイヤ機能では、実際に、上りリンク信号を送信していないという両者の状態不一致が発生するという事態を回避することができる移動局を提供することができる。
【図面の簡単な説明】
【００３２】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を示すフローチャートである。
【図４】従来の移動通信システムの問題点を説明するための図である。
【図５】従来の移動通信システムの問題点を説明するための図である。
【図６】従来の移動通信システムの問題点を説明するための図である。
【発明を実施するための形態】
【００３３】
（本発明の第１の実施形態に係る移動通信システム）
図１乃至図３を参照して、本発明の第１の実施形態に係る移動通信システムについて説明する。
【００３４】
図１に示すように、本実施形態に係る移動通信システムは、ＬＴＥ-Ａｄｖａｎｃｅｄ方式をサポートする無線基地局ｅＮＢと、ＬＴＥ-Ａｄｖａｎｃｅｄ方式をサポートする移動局ＵＥとを具備している。
【００３５】
図２に示すように、移動局ＵＥは、レイヤ１機能（物理レイヤ機能）と、レイヤ２機能（ＭＡＣレイヤ機能）とを具備している。
【００３６】
レイヤ１機能は、送信部１３と、受信部１４とを具備しており、レイヤ２機能は、カウンタ制御部１１と、送信管理部１２とを具備している。
【００３７】
送信部１３は、レイヤ２機能の送信管理部１２からの指示に基づいて、無線基地局ｅＮＢに対して、上りリンク信号を送信するように構成されている。また、受信部１４は、無線基地局ｅＮＢからの下りリンク信号（例えば、スケジューリング信号等）を受信するように構成されている。
【００３８】
送信管理部１２は、レイヤ１機能の送信部１３に対して、上りリンク信号の送信を指示するように構成されている
カウンタ制御部１１は、上りリンク信号の送信状況を管理するためのカウンタを制御するように構成されている。
【００３９】
具体的には、カウンタ制御部１１は、送信管理部１２から送信部１３に対する上りリンク信号の送信指示が行われた後、送信部１３による上りリンク信号の送信が行われた場合に、上述のカウンタをインクリメントするように構成されている。
【００４０】
すなわち、カウンタ制御部１１は、送信管理部１２から送信部１３に対する上りリンク信号の送信指示が行われた後、送信部１３による上りリンク信号の送信が行われなかった場合に、上述のカウンタのインクリメントを中止するように構成されている。
【００４１】
ここで、カウンタ制御部１１は、レイヤ１機能の送信部１３による上りリンク信号の送信状況を監視するように構成されていてもよい。
【００４２】
すなわち、カウンタ制御部１１は、レイヤ１における送信部１３による上りリンク信号の送信が完了したことを検出した場合に、上述のカウンタをインクリメントするように構成されていてもよい。
【００４３】
一方、カウンタ制御部１１は、レイヤ１における送信部１３による上りリンク信号の送信が完了したことを検出しなかった場合に、或いは、レイヤ１における送信部１３による上りリンク信号の送信が完了しなかったことを検出した場合に、上述のカウンタのインクリメントを中止するように構成されていてもよい。
【００４４】
或いは、レイヤ１機能の送信部１３は、無線基地局ｅＮＢに対する上りリンク信号の送信が行われた場合に、その旨をレイヤ２機能のカウンタ制御部１１に対して通知するように構成されており、カウンタ制御部１１は、かかる通知に応じて、上述のカウンタをインクリメントするように構成されていてもよい。
【００４５】
例えば、図４に示すように、「ＡＣＫ/ＮＡＣＫ  ｒｅｐｅｔｅｉｏｎ」が適用されているケースにおいて、レイヤ２機能の送信管理部１２が、レイヤ１機能の送信部１３に対して、上りリンク信号の送信を指示した場合であっても、レイヤ１機能の送信部１３は、「ＡＣＫ/ＮＡＣＫ  ｒｅｐｅｔｅｉｏｎ」による送達確認情報の送信指示と、かかる上りリンク信号の送信指示とが重なった場合には、「ＡＣＫ/ＮＡＣＫ  ｒｅｐｅｔｅｉｏｎ」による送達確認情報の送信を優先し、かかる上りリンク信号の送信を行わない。
【００４６】
かかる場合、レイヤ２機能の送信管理部１２は、上述のカウンタのインクリメントを中止するように構成されていてもよい。
【００４７】
また、図５に示すように、レイヤ２機能の送信管理部１２が、レイヤ１機能の送信部１３に対して、上りリンク信号の送信を指示した場合であっても、「ｐｏｗｅｒ  ｌｉｍｉｔｅｄ  ｃａｓｅ」が発生した場合で、かつ、かかる上りリンク信号の優先度が低い場合には、レイヤ１機能の送信部１３は、かかる上りリンク信号の送信を行わない。
【００４８】
かかる場合、レイヤ２機能の送信管理部１２は、上述のカウンタのインクリメントを中止するように構成されていてもよい。
【００４９】
或いは、図６に示すように、レイヤ２機能の送信管理部１２が、レイヤ１機能の送信部１３に対して、上りリンク信号の送信を指示した場合であっても、レイヤ１機能の送信部１３は、かかる移動局ＵＥが、同時送信能力を具備していない場合で、かつ、複数の上りリンク信号の送信指示が行われた場合には、どちらの上りリンク信号を優先するか、或いは、どちらの上りリンク信号も送信しない。
【００５０】
かかる場合、レイヤ２機能の送信管理部１２は、送信されなかった上りリンク信号に係る上述のカウンタのインクリメントを中止するように構成されていてもよい。
【００５１】
以下、図３を参照して、本実施形態に係る移動局ＵＥの動作について説明する。
【００５２】
図３に示すように、ステップＳ１０１において、移動局ＵＥにおいて、レイヤ２機能は、上りリンク信号を送信することを決定し、レイヤ１機能に対して、かかる上りリンク信号の送信指示を行う。
【００５３】
ステップＳ１０２において、レイヤ２機能は、実際に、レイヤ１機能が、かかる上りリンク信号の送信を行ったか否かについて判定する。ここで、レイヤ２機能は、レイヤ１機能の送信状況の監視結果に基づいて、かかる判定を行ってもよいし、レイヤ１機能からの通知に基づいて、かかる判定を行ってもよい。
【００５４】
レイヤ２機能は、かかる上りリンク信号の送信が行われたと判定した場合、ステップＳ１０４において、上述のカウンタをインクリメントする。
【００５５】
一方、レイヤ２機能は、かかる上りリンク信号の送信が行われていないと判定した場合、上述のカウンタをインクリメントしない。
【００５６】
本実施形態に係る発明によれば、レイヤ２機能は、実際にレイヤ１機能が上りリンク信号の送信を行ったと判定した場合にのみ、上りリンク信号の送信状況を管理するためのカウンタをインクリメントするように構成されているため、レイヤ２機能では、上りリンク信号が送信されたと認識しているが、レイヤ１機能では、実際に、上りリンク信号を送信していないという両者の状態不一致が発生するという事態を回避することができ、物理レイヤ機能が、正常である場合に、リソースの解放や再接続手順の起動が発生するという事態を回避することができ、システムの安定化を図ることができる。
【００５７】
以上に述べた本実施形態の特徴は、以下のように表現されていてもよい。
【００５８】
本実施形態の第１の特徴は、レイヤ１機能及びレイヤ２機能を具備する移動局ＵＥであって、レイヤ１機能は、無線基地局ｅＮＢに対して、上りリンク信号を送信するように構成されている送信部１３を具備しており、レイヤ２機能は、送信部１３に対して、上りリンク信号の送信を指示するように構成されている送信管理部１２と、カウンタを制御するように構成されているカウンタ制御部１１とを具備しており、カウンタ制御部１１は、送信管理部１２から送信部１３に対する上りリンク信号の送信指示が行われた後、送信部１３による上りリンク信号の送信が行われなかった場合に、上述のカウンタのインクリメントを中止するように構成されていることを要旨とする。
【００５９】
本実施形態の第１の特徴において、カウンタ制御部１１は、送信部１３による上りリンク信号の送信状況を監視するように構成されていてもよい。
【００６０】
かかる構成によれば、レイヤ１機能とレイヤ２機能との間に、インタラクションを設けることなく、また、低遅延に、本発明の課題を解決することができる。
【００６１】
本実施形態の第１の特徴において、送信部１３は、上りリンク信号の送信が行われた場合に、その旨をカウンタ制御部１１に対して通知するように構成されており、カウンタ制御部１１は、かかる通知に応じて、上述のカウンタをインクリメントするように構成されていてもよい。
【００６２】
かかる構成によれば、レイヤ２機能に対してレイヤ１機能における送信状況を監視する機能を設けることなく、また、レイヤ１機能からのフィードバックによってより信頼性が高い状態でインクリメントの要否を判定し、本発明の課題を解決することができる。
【００６３】
また、本実施形態では、レイヤ１機能及びレイヤ２機能として、ＭＡＣレイヤ機能及び物理レイヤ機能を例に挙げて説明を行ったが、本発明に係る処理は、いかなるレイヤ間で行われてもよい。
【００６４】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６８】
ＵＥ…移動局
ｅＮＢ…無線基地局
１１…カウンタ制御部
１２…送信管理部
１３…送信部
１４…受信部
【図１】
2014033412.tif 000003
【図２】
2014033412.tif 000004
【図３】
2014033412.tif 000005
【図４】
2014033412.tif 000006
【図５】
2014033412.tif 000007
【図６】
2014033412.tif 000008